(57)【要約】【課題】  構造が簡単でしかも合鍵を必要としない新規なピンロックを提案する。【解決手段】  扉枠２に固着された係着部材３を本体ブロック５に形成した溝７に収納し、本体ブロック５内で移動可能に保持、案内された邪魔板６と係着部材３とを係合させ、操作端２６を有するタンブラーピンによって邪魔板６をロックする。一方、邪魔板６に、大径孔と小径孔とを一定方向に、所定距離の間隔で連設したダルマ形のタンブラー孔をピンタンブラーと同じ展開パターンで形成し、他方、タンブラーピンを、その操作端２６を外側から引いたとき小径部が邪魔板６と整合する第１タンブラーピンと、押したとき小径部が邪魔板と整合する第２タンブラーピンとに分類し、タンブラーピンを押し引きして全タンブラーピンの小径部を邪魔板のタンブラー孔に整合させることにより邪魔板を可動にする。【選択図】  図１
2006219913.tif 000002
【特許請求の範囲】
【請求項１】
扉枠や箱の開口端縁部外面側に突設された係着部材を介して扉枠や箱に装着され、扉や箱の蓋の自由側端縁の開放方向の移動軌跡と干渉するようにして扉や箱の蓋を錠止する形式の錠前であって、偏平な本体ブロックに一定の展開パターンで複数のピン孔を形成すると共に、各ピン孔の本体ブロックの表面側の開口部に数字や文字を標記し、一方、本体ブロック内で邪魔板をピン孔に垂直な平面内で一定方向に所定距離移動可能に支持、案内し、この邪魔板に、大径孔と小径孔とを上記一定方向に、所定距離の間隔で連設したダルマ形のタンブラー孔をピン孔と同じ展開パターンで形成し、他方、各ピン孔に、外端に本体ブロックの表面側に突出する操作端を形成し、タンブラー孔を貫通する内端部にタンブラー孔の大径孔と嵌合する大径部と、小径孔と嵌合する小径部とを連設したタンブラーピンを長さ方向に移動可能に嵌装すると共に、タンブラーピンを、その操作端を外側から引いたとき小径部が邪魔板と整合する第１タンブラーピンと、押したとき小径部が邪魔板と整合する第２タンブラーピンとに分類し、本体ブロックの選択されたピン孔群に第１タンブラーピンを、残りのピン孔群に第２タンブラーピンを夫々嵌装し、また、本体ブロックの裏面側に上記係着部材を収納する溝を形成すると共に、邪魔板の一定方向における内端にこの溝に臨む係止端を、外端に本体ブロックから突出する操作部を夫々形成したことを特徴とするプッシュプルピンロック。
【発明の詳細な説明】
【技術分野】
【０００１】
この発明は、新規なプッシュプルピンロック（以下単にピンロックという）に係り、特に、構造が簡単で作動が確実であり、しかも合鍵を必要としないピンロックに関する。
【背景技術】
【０００２】
本願に係るピンロックは、本出願人が知る限り全く新規な錠前であり、これに関連する特許文献或いは非特許文献は勿論、背景技術も皆無であると認識している。
【発明の開示】
【発明が解決しようとする課題】
【０００３】
従来周知の錠前として、例えば、シリンダ錠、南京錠、ダイアル錠、電気錠等、現在迄に種々のものが提案され、夫々実用されている。
【０００４】
これらの錠前は、南京錠を除いて、扉、箱の蓋等に装着されて使用されるので、スイング扉の場合はデッドボルトやラッチボルト、及びこれらと錠前を連結する錠止機構が必要で、引戸の場合にも同様に、カマと称される鈎形の錠止部材が必要であり、また、合鍵を必要とする。
【０００５】
更にまた、合鍵を必要としないダイアル錠は鍵違いが極端に少ないし、合鍵が必要ではなく、しかも鍵違いを多くすることができる電気錠は、電源の心配をしなくてはならない上、一般に高価である。
【０００６】
要するに、従来の錠前は、一般に構造が複雑で取付にも費用がかかり、使用目的によっては従来の錠前が鶏を割く牛刀のように大袈裟なものとなるので、使用できない場合がある。
【０００７】
そこで、この発明は、構造が簡単でしかも合鍵を必要としない新規なピンロックを提案し、錠前の使用範囲を拡大することを目的としている。
【課題を解決するための手段】
【０００８】
上記の目的を達成するため、請求項１に記載の発明は、扉枠や箱の開口端縁部外面側に突設された係着部材を介して扉枠や箱に装着され、扉や箱の蓋の自由側端縁の開放方向の移動軌跡と干渉するようにして扉や箱の蓋を錠止する形式の錠前であって、偏平な本体ブロックに一定の展開パターンで複数のピン孔を形成すると共に、各ピン孔の本体ブロックの表面側の開口部に数字や文字を標記し、一方、本体ブロック内で邪魔板をピン孔に垂直な平面内で一定方向に所定距離移動可能に支持、案内し、この邪魔板に、大径孔と小径孔とを上記一定方向に、所定距離の間隔で連設したダルマ形のタンブラー孔をピン孔と同じ展開パターンで形成し、他方、各ピン孔に、外端に本体ブロックの表面側に突出する操作端を形成し、タンブラー孔を貫通する内端部にタンブラー孔の大径孔と嵌合する大径部と、小径孔と嵌合する小径部とを連設したタンブラーピンを長さ方向に移動可能に嵌装すると共に、タンブラーピンを、その操作端を外側から引いたとき小径部が邪魔板と整合する第１タンブラーピンと、押したとき小径部が邪魔板と整合する第２タンブラーピンとに分類し、本体ブロックの選択されたピン孔群に第１タンブラーピンを、残りのピン孔群に第２タンブラーピンを夫々嵌装し、また、本体ブロックの裏面側に上記係着部材を収納する溝を形成すると共に、邪魔板の一定方向における内端にこの溝に臨む係止端を、外端に本体ブロックから突出する操作部を夫々形成したことを特徴とする。
【発明の効果】
【０００９】
上記のように構成された請求項１に記載の発明によるピンロックは、全部の第１端タンブラーピンを引き、全部の第２タンブラーピンを押すことにより、全タンブラーピンの小係部が邪魔板のタンブラー孔と整合する。
【００１０】
したがって、邪魔板が移動可能になり、その操作部を引くことにより、邪魔板の内端の係止端が溝から離間し、係止端によって溝内に固定されていた係着部材が本体ブロックから自由になるので、本体ブロック全体を扉枠等から外し、扉を開放方向に移動可能にする、すなわち解錠する。
【００１１】
このように、ピンロックを構成する主な部品が本体ブロックと邪魔板と複数のタンブラーピンのみであるから、本体ブロック自体が錠止部材を兼ねることとも相俟て、構造が非常に簡単である。
【００１２】
また、施解錠操作がタンブラーピンを押し引きするだけなので、当然のことながら合鍵を必要としない、等種々の効果を奏する。
【発明を実施するための最良の形態】
【００１３】
本体ブロック内で一方向に移動可能に案内された邪魔板にピンタンブラーと同じ展開パターンでダルマ形のタンブラー孔を形成し、各タンブラー孔と係合するピンタンブラーの内端部の径をピンタンブラーを押し引きすることによって全部小径とすることにより邪魔板を自由にして解錠するので、合鍵を必要とせず、また、構造も簡単になった。
【実施例１】
【００１４】
以下、この発明の実施例を図面を参照して説明する。
図１において符号１はこの発明の一実施例によるピンロックの全体を示し、このピンロック１は、例えば扉枠２の外面側に突設された係着部材３に装着された状態でロックされ、矢印Ａ方向に開く扉４の移動軌跡と干渉する態様で扉４を錠止する。
【００１５】
一方、上記ピンロック１は、本体ブロック５内で邪魔板６を図１で上下方向に移動可能に案内し、その内端によって、溝７に収納された係着部材３を固定すると共に、タンブラーピン２４（２５：図１４参照）によって邪魔板６をロックする。以下、各構成部材について順に説明する。
【００１６】
図示の実施例における係着部材３は、図２乃至乃至図４に示すように、ストライク板８の一方の側端縁を断面コ字形に折曲することによりストライク板と一体に形成されており、このストライク板８を既設のストライク板と交換することにより、扉枠２の外面側に突設される。
【００１７】
また、図示の実施例におけるストライク板８は、その室内側の端部に形成されたストライク孔９（図３参照）の室外側の開口端縁部が扉枠２（図１参照）方向に切り起こされ、補強片１１として扉枠に埋設されたトロヨケ１２（図１参照）の内面に接合している。
【００１８】
ちなみに、扉４が図１で矢印Ａ方向に開くとすれば、図示しないラッチボルトは図３に示すストライク孔９の右側の開口端縁に係止されるから、ストライク８がラッチボルトから受ける力は補強片１１を介してトロヨケ、扉枠に担持されるので、上記補強片１１は補強部材として機能し、ストライク板８を２本のねじによってのみ固定する場合と比較して強度が格段に向上する。
【００１９】
更にまた、図３に示すように、係着部材３の右端部の長さ方向における中央部には、前記邪魔板６の内端が係入するスリット１３が形成されている。
【００２０】
一方、図示の実施例における前記ピンロック１は、図１に示すように、表側ブロック５ａ及び裏側ブロック５ｂの二つに分割された本体ブロック１の表側及び裏側ブロック５ａ、５ｂの間に邪魔板６を挟み、ねじ１４止めしたものである。
【００２１】
上記表側ブロック５ａは、図５乃至図９に示すように、細長いブロック体で、これを厚さ方向に貫通する複数（図示の実施例では２行６列の１２個）の段付のピン孔１５、１５が形成されている。
【００２２】
そして、図５に示すように、各ピン孔１５の表面側の開口の近傍に数字や文字が標記されている。
【００２３】
また、図７乃至図９に示すように、表側ブロック５ａの裏側には後述する邪魔板を収納する凹陥部１６が形成されており、更にまた、図７及び図８に示すように、凹陥部１６に隣接して前記係着部材３を収納する溝１７が形成されている。
【００２４】
上記した構成の表側ブロックの凹陥部１６内に、図１０及び図１１に示す細長い形状の前記邪魔板６が左右方向に移動可能に収納されている。
【００２５】
図示の実施例では、図６及び図７に示すように、凹陥部１６の長さ方向における中央部にその幅方向に延在するガイド突条１８が突設されており、これに対応して、図１１に示すように、邪魔板の長さ方向における中央部に、その幅方向に延在するガイド突条よりやや長いガイドスリット１９が開口している。
【００２６】
そして、これらガイドスリット１９及びガイド突条１８を摺動可能に係合させることにより（図１５参照）、邪魔板６を図１５で左右方向に移動可能に案内している。
【００２７】
また、図１１に示すように、邪魔板６の左右方向における内端（左端）に前記溝１７に係入可能に臨む係止端２１が、外端に手指で左右方向に押し引きするための操作部２２が夫々一体に形成されている。
【００２８】
この操作部２２は、本体ブロック５に収納されているとき本体ブロック外に突出している（図１５参照）。
【００２９】
一方、上記邪魔板６には、前記表側ブロックのピン孔１５、１５と同じ展開パターンで、大径孔と小径孔とを左右方向に、所定距離の間隔で連設したダルマ形のタンブラー孔２３、２３が開口している。
【００３０】
上記タンブラー孔の小径孔と大径孔との連設方向は邪魔板の移動方向に、また所定距離の間隔は邪魔板の移動距離に夫々対応している。
【００３１】
他方、前記ピン孔１５の夫々には、第１タンブラーピン２４及び第２タンブラーピン２５の選択された何れか一方が長さ方向に移動可能に収納されている。
【００３２】
なお、上記ピン孔１５は、及び図１２乃至図１４に示すように、裏側ブロック５ｂにも表側ブロックと同軸に形成されており、タンブラーピン２４（２５）の内端部は、邪魔板６を貫通して裏側ブロックのピン孔にも係入している。
【００３３】
そのため、タンブラーピン２４、２５の剛性或いは強度の向上が期待できる。
【００３４】
そして、各タンブラーピン２４（２５）は、図１４に示すように、外端（右端）に本体ブロック５の表面から突出する（図１６参照）鼓形の操作端を形成し、タンブラー孔を貫通する内端部にタンブラー孔２３の大径孔と嵌合する大径部２７と、小径孔と嵌合する小径部２８とが連設されている。
【００３５】
上記大径部２７と小径部２８とでは第１及び第２タンブラー２４、２５の位置が逆になっている。
【００３６】
そのため、図１及び図１４に示すように、第１タンブラー２４を引けば、換言すれば第１タンブラー２４を表側ブロック５ａから突出させれば、その小径部２８が邪魔板６と整合する。
【００３７】
反対に、第２タンブラー２５を押せば、その小径部２８が邪魔板６と整合する。
そして、全タンブラーの小径部２８が邪魔板６と整合すれば、邪魔板６は図１５において右方に移動することができる。すなわち、解錠状態となる。
【００３８】
上記のように構成されたこの発明の一実施例によるピンロックは、図１に示すように、解錠状態で本体ブック裏側の溝７に係止着部材３を収納し（図１５参照）、図１５で邪魔板の操作部２２を左方に押し込んで、その係止端２１をストライク板８のスリット１３（図３参照）に係入させる。
【００３９】
すると、邪魔板のタンブラー孔２３の大径部がタンブラーピン２４（２５）と整合するので、この状態で少なくとも１個の第１タンブラーを押し込むか、或いは少なくとも１個の第２タンブラー２５を引き出すことにより、以後邪魔板６は図１５で右方に移動できなくなる。
【００４０】
すなわち、邪魔板の係止端２１とストライク板のスリット１３との係合を解くことができなくなる。換言すればこのピンロックは施錠状態となる。
【００４１】
この状態では、図１から明らかなように、本体ブロック５に邪魔されて扉４を開放できなくなることは前記した通りで、このピンロックを解錠するには、１２個のピンの内の第１タンブラーピン２４を全部引き出し、第２タンブラーピン２５を全部押し込む必要がある。
【００４２】
ちなみに、例えば１２個のタンブラーピンを有するピンロックの鍵違い数は、２の１２乗の４０９６となる。
【図面の簡単な説明】
【００４３】
【図１】この発明の一実施例によるピンロックを係着部材に装着した状態を示す一部断面平面図。
【図２】係着部材を一体に形成したストライク板の平面図。
【図３】その正面図。
【図４】その側面図。
【図５】表側ブロックの正面図。
【図６】その側面図。
【図７】その裏面図。
【図８】図７のＶＩＩＩ−ＶＩＩＩ線による断面図。
【図９】図７のＩＸ−ＩＸ線による断面図。
【図１０】邪魔板の平面図。
【図１１】邪魔板の正面図。
【図１２】裏側ブロックの正面図。
【図１３】その縦断面図。
【図１４】タンブラーピンの線図的説明図。
【図１５】図１に示すピンロックの内部を裏側ブロックを取外して示す背面図。
【図１６】図１に示すピンロックの側面図。
【符号の説明】
【００４４】
１  ピンロック
２  扉枠
３  係着部材
４  扉
６  邪魔板
７  溝
８  ストライク板
１３  スリット
１５  ピン孔
１８  ガイド突条
１９  ガイドスリット
２１  係止端
２２  操作部
２３  タンブラー孔
２４  第１タンブラーピン
２５  第２タンブラーピン
２６  操作端
２７  大径部
２８  小径部
【図１】
2006219913.tif 000003
【図２】
2006219913.tif 000004
【図３】
2006219913.tif 000005
【図４】
2006219913.tif 000006
【図５】
2006219913.tif 000007
【図６】
2006219913.tif 000008
【図７】
2006219913.tif 000009
【図８】
2006219913.tif 000010
【図９】
2006219913.tif 000011
【図１０】
2006219913.tif 000012
【図１１】
2006219913.tif 000013
【図１２】
2006219913.tif 000014
【図１３】
2006219913.tif 000015
【図１４】
2006219913.tif 000016
【図１５】
2006219913.tif 000017
【図１６】
2006219913.tif 000018